(57)【要約】【課題】本発明はバックライトユニットを提供する。【解決手段】  バックライトユニットは、導光板および光源発生器を含む。導光板は本体を有し、本体は入光面および出光面を有する。入光面は内部溝を複数有し、出光面は光分割溝を複数有する。光分割溝および内部溝は相互に垂直に対応して位置する。光源発生器は、回路基板および回路基板に溶接された複数（列）のライトバーを有し、ライトバーは複数個の発光ダイオードからなる。光源発生器および本体を組み立てるとき、回路基板は本体の入光面を覆い、ライトバーは内部溝内に位置する。ライトバーが点灯するとき、光分割溝は光源を分割する効果を効果的に果たすことができる。【選択図】図１
2011138756.tif 000002
【特許請求の範囲】
【請求項１】
本体を有する平面導光板構造であって、該本体が入光面および出光面を有し、該入光面が内部溝を複数有し、該出光面が光分割溝を複数有し、該光分割溝および該内部溝が相互に垂直に対応して、該本体が複数の小さい領域の導光面に分けられることを特徴とする平面導光板構造。
【請求項２】
該内部溝の断面が、Ｕ型または台形型の任意の１つであることを特徴とする、請求項１に記載の平面導光板構造。
【請求項３】
該光分割溝の断面が、Ｖ型またはＵ型の任意の１つであることを特徴とする、請求項１に記載の平面導光板構造。
【請求項４】
該光分割溝が一続きであり、該内部溝が一続きであることを特徴とする、請求項１に記載の平面導光板構造。
【請求項５】
該光分割溝が一続きであり、該内部溝が一続きでないことを特徴とする、請求項１に記載の平面導光板構造。
【請求項６】
該光分割溝が一続きでなく、該内部溝が一続きであることを特徴とする、請求項１に記載の平面導光板構造。
【請求項７】
該光分割溝が一続きでなく、該内部溝が一続きでないことを特徴とする、請求項１に記載の平面導光板構造。
【請求項８】
該本体の任意の１側面または２側面に、導光部を有することを特徴とする、請求項１に記載の平面導光板構造。
【請求項９】
導光板および光源発生器を含むバックライトユニットであって、
該導光板が本体を有し、該本体が入光面および出光面を有し、該入光面が内部溝を複数有し、該出光面が光分割溝を複数有し、該光分割溝および該内部溝が相互に垂直に対応し、該本体が複数の小さい領域の導光面に分けられ、
該光源発生器が、回路基板および該回路基板に溶接された複数（列）のライトバーを有し、該光源発生器が該本体の入光面に配置され、該ライトバーが該内部溝内に位置する
ことを特徴とする、バックライトユニット。
【請求項１０】
該内部溝の断面が、Ｕ型または台形型の任意の１つであることを特徴とする、請求項９に記載のバックライトユニット。
【請求項１１】
該光分割溝の断面が、Ｖ型またはＵ型の任意の１つであることを特徴とする、請求項９に記載のバックライトユニット。
【請求項１２】
該光分割溝が一続きであり、該内部溝が一続きであることを特徴とする、請求項９に記載のバックライトユニット。
【請求項１３】
該光分割溝が一続きであり、該内部溝が一続きでないことを特徴とする、請求項９に記載のバックライトユニット。
【請求項１４】
該光分割溝が一続きでなく、該内部溝が一続きであることを特徴とする、請求項９に記載のバックライトユニット。
【請求項１５】
該光分割溝が一続きでなく、該内部溝が一続きでないことを特徴とする、請求項９に記載のバックライトユニット。
【請求項１６】
該本体の任意の１側面または２側面に、該ライトバーと対応する導光部を有することを特徴とする、請求項９に記載のバックライトユニット。
【請求項１７】
該ライトバーが、複数個の発光ダイオードからなることを特徴とする、請求項１６に記載のバックライトユニット。
【発明の詳細な説明】
【技術分野】
【０００１】
本発明はバックライトユニット、特に光分割効果を有するバックライトユニットに関する。
【背景技術】
【０００２】
ＬＣＤテレビ用のＬＥＤバックライトは、ノートパソコン（ＮＢ）用のＬＥＤバックライト光源として使用され、後に、主にＬＣＤテレビで発展したバックライト光源である。そのコストは依然として高い。また、直下型ＬＥＤバックライトは、局所輝度制御（Ｌｏｃａｌ  Ｄｉｍｍｉｎｇ）技術と組み合わせることで、電気消費量が大幅に低下する、ディスプレイのコントラスト比およびグレースケールが向上する、残像が軽減する、などの利点があり、その他のバックライト光源で代替するのは難しい。
【０００３】
局所輝度制御（Ｌｏｃａｌ  Ｄｉｍｍｉｎｇ）技術とは、ＬＣＤディスプレイのバックライト光源を、異なる領域、異なる程度の輝度によって明暗を変化させる技術の１つである。一般的に述べると、光分割効果を必要とする場合、現在は基本的に組立方式を主としている。つまり、バックライトユニットの導光板を小さいサイズで作製し、これらを１つ１つ組み合わせる。
【０００４】
この種の方式は、光分割効果の制御を行うことができるが、導光板と導光板の接合部の継ぎ目部分に輝線が生じることがある。この輝線は取り除くのが難しい。
【発明の概要】
【発明が解決しようとする課題】
【０００５】
本発明の主な目的は、従来の欠点を解決することである。本発明は、大きいサイズの導光板を利用し、導光板に光分割溝を複数設けることにより、輝線を最小限にする。同様に光分割効果を有し、局所輝度制御（Ｌｏｃａｌ  Ｄｉｍｍｉｎｇ）を行う。
【課題を解決するための手段】
【０００６】
上述の目的を達成するため、本発明はバックライトユニットを提供する。
【０００７】
バックライトユニットは、導光板を含む。導光板は本体を有し、本体は入光面および出光面を有する。入光面は一続きの内部溝を複数有し、出光面は一続きの光分割溝を複数有する。光分割溝および内部溝は相互に垂直に対応し、本体上で小さい領域の導光面が複数形成される。他に、本体の側面に導光部を有する。
【０００８】
バックライトユニットはさらに光源発生器を含む。光源発生器は回路基板、および回路基板に溶接された複数（列）のライトバーを有する。ライトバーは複数個の発光ダイオード（ＬＥＤ）からなる。光源発生器および本体を組み立てるとき、光源発生器の回路基板が、本体の入光面を覆い、ライトバーは内部溝および導光部の側面に位置する。
【図面の簡単な説明】
【０００９】
【図１】図１は、本発明の第１実施例における、バックライトユニットの分解概要図である。
【図２】図２は、本発明の第１実施例における、バックライトユニットの組合せ外観の立体概要図である。
【図３】図３は、本発明の第１実施例における、バックライトユニットの側断面概要図である。
【図４】図４は、本発明の第１実施例における、バックライトユニットの正面概要図である。
【図５】図５は、本発明の第２実施例の概要図である。
【図６】図６は、本発明の第３実施例の概要図である。
【図７】図７は、本発明の第４実施例の概要図である。
【発明を実施するための形態】
【００１０】
本発明に関する詳細な説明および技術内容を、図を組み合わせて、以下のように説明する。
【実施例】
【００１１】
図１および図２を参照されたい。図１および図２は本発明の第１実施例における、バックライトユニットの分解概要図、および組合せ外観の立体概要図である。図に示すように、本発明の平面バックライトユニットは、導光板１および光源発生器２を含む。
【００１２】
導光板１は本体１１を有し、本体１１は入光面１２および出光面１３を有する。入光面１２は、一続きの（つまり、入光面１２の１次元方向に沿って、連続的に延伸した）内部溝１４を複数有し、内部溝１４の断面はＵ型または台形型の任意の１つである。出光面１３は、一続きの光分割溝１５を複数有する。光分割溝１５および内部溝１４は、相互に垂直に対応しており、本体１１上で小さい領域の導光面１６が複数形成される。光分割溝１５の断面は、Ｖ型またはＵ型の任意の１つである。他に、本体１１の任意の１側面または２側面に導光部１７を有し、外部の光源を導入する。
【００１３】
光源発生器２は回路基板２１、および回路基板２１に溶接された複数（列）のライトバー（ＬＩＧＨＴ  ＢＡＲ）２２を有する。ライトバー２２は、複数個の発光ダイオード（ＬＥＤ）２２１からなる。光源発生器２および導光板１の本体１１を組み立てるとき、光源発生器２の回路基板２１が、本体１１の入光面１２を覆い、ライトバー２２は内部溝１４、および導光部１７の１側面に位置する。
【００１４】
図３および図４を参照されたい。図３および図４は、本発明の第１実施例における、バックライトユニットの側断面概要図および正面概要図である。図に示すように、導光板１の本体１１および光源発生器２を組み立てると、光源発生器２のライトバー２２が、内部溝１４内に位置することがはっきりと見てとれる。ライトバー２２の各発光ダイオード２２１が点灯するとき、光線は本体１１に入射し、本体１１の導光面１６が点灯する。同時に光分割溝１５は、光線が導光面１６から別の導光面１６に射し込むのを防ぐことができ、光線を導光面１６に効果的に分割して拡散させることができる。
【００１５】
図５を参照されたい。図５は、本発明の第２実施例の概要図である。図に示すように、本発明の導光板１における、本体１１の出光面１３は、一続きの光分割溝１５を有し、入光面１２は一続きでない（つまり、入光面１２の１次元方向に沿って、不連続的に延伸した）内部溝１４を有する。
【００１６】
図６を参照されたい。図６は、本発明の第３実施例の概要図である。図に示すように、本発明の導光板１における、本体１１の出光面１３は、一続きでない光分割溝１５を有し、入光面１２は、一続きでない内部溝１４を有する。
【００１７】
図７を参照されたい。図７は、本発明の第４実施例の概要図である。図に示すように、本発明の導光板１における、本体１１の出光面１３は、一続きでない光分割溝１５を有し、入光面１２は、一続きの内部溝１４を有する。
【００１８】
光分割溝（Ｖ型）を利用して、光分割効果を示すことができる。局所輝度制御（Ｌｏｃａｌ  Ｄｉｍｍｉｎｇ）技術が効果を示すとき、点灯していない導光板ブロック（ＬＧＰ  ｂｌｏｃｋ）は、上述の小さい領域の導光面１６に対応し、離れて点灯する導光板ブロックから伝えられる光線を効果的に分割する。さらに、上述の異なる溝の組み合わせ方法により、異なる光分割効果を果たすことができる。
【００１９】
上に述べたことは、本発明の好適な実施例に過ぎず、本発明の実施範囲を限定するものではない。本発明が申請する特許請求の範囲に基づいて行う均等な変化および修飾は、すべて本発明の特許請求の範囲に含まれる。
【符号の説明】
【００２０】
１  導光板
１１  本体
１２  入光面
１３  出光面
１４  内部溝
１５  光分割溝
１６  導光面
１７  導光部
２  光源発生器
２１  回路基板
２２  ライトバー
２２１  発光ダイオード
【図１】
2011138756.tif 000003
【図２】
2011138756.tif 000004
【図３】
2011138756.tif 000005
【図４】
2011138756.tif 000006
【図５】
2011138756.tif 000007
【図６】
2011138756.tif 000008
【図７】
2011138756.tif 000009